(57)【要約】【課題】薄型化したバッテリを適切に装着可能な電子機器を提供する。【解決手段】デタッチャブル型コンピュータ１００は、バッテリ３０と、バッテリ３０が装着されるバッテリ収容部２１を有する筐体２０とを有する。筐体２０の一対の側面２１ａ及びバッテリ３０の一対の側面３０ａに、バッテリ３０が装着された状態で互いに係合するガイド突起２１ｂ及びガイド溝３０ｂが設けられている。筐体２０の天井面２１ｅ及びバッテリ３０の上面３０ｆに、バッテリ３０が装着された状態で互いに係合する係合突起２２ａ及び袋状凹部３０ｄが設けられている。【選択図】図８
2018110049.tif 000002
【特許請求の範囲】
【請求項１】
バッテリと、前記バッテリが装着される凹部を有する筐体とを有する電子機器であって、
前記バッテリは、バッテリ側主面と、前記バッテリ側主面に垂直な一対のバッテリ側側面とを有し、
前記凹部は、前記バッテリが装着された状態で前記バッテリ側主面及び前記一対のバッテリ側側面のそれぞれに対向する凹部側主面及び一対の凹部側側面を有し、
各凹部側側面及び各バッテリ側側面に、前記バッテリが装着された状態で互いに係合する凹部側第１係合部及びバッテリ側第１係合部が設けられ、
前記凹部側主面及び前記バッテリ側主面に、前記バッテリが装着された状態で互いに係合する凹部側第２係合部及びバッテリ側第２係合部が設けられている、
電子機器。
【請求項２】
前記凹部側第２係合部及びバッテリ側第２係合部は、２つの前記凹部側側面間の中央に形成されている、
請求項１に記載の電子機器。
【請求項３】
前記凹部は、前記筐体の主面の一端側を切り欠いて形成され、
前記筐体の前記主面に、前記バッテリが装着された状態で前記バッテリの前記バッテリ側主面とは反対側の第２のバッテリ側主面に重なる突設部が設けられている、
請求項１に記載の電子機器。
【請求項４】
前記突設部は、２つの前記凹部側側面の間において前記凹部側第２係合部の両側に設けられている、
請求項３に記載の電子機器。
【請求項５】
前記バッテリを、その一部が前記凹部に収容された状態から前記凹部側主面及び前記凹部側側面の両方に平行な第１方向にスライドさせることで、前記凹部側第１係合部及びバッテリ側第１係合部が互いに係合し、かつ前記凹部側第２係合部及び前記バッテリ側第２係合部が互いに係合するように構成され、
前記凹部側第１係合部及び前記凹部側第２係合部は、第１の突起及び第２の突起で構成され、
前記バッテリ側第１係合部は、前記バッテリが装着された状態で、前記第１方向に延びかつ前記第１の突起が嵌まる第１の溝であり、
前記バッテリ側主面に、前記バッテリが装着される過程で、前記第１方向に延びかつ前記第２の突起が嵌まる第２の溝が設けられており、
前記バッテリ側第２係合部は、前記第２の溝の延設方向の一方の端部に設けられ、前記バッテリが装着された状態で前記第２の突起と係合する袋状凹部である、
請求項１に記載の電子機器。
【請求項６】
前記バッテリは複数のバッテリセルを内蔵し、
前記第２の溝は、隣接するバッテリセル間に設けられる、
請求項５に記載の電子機器。
【請求項７】
前記第２の溝の延設方向の両方の端部が閉じている、
請求項５または６に記載の電子機器。
【発明の詳細な説明】
【技術分野】
【０００１】
本開示は、バッテリを有する電子機器に関する。
【背景技術】
【０００２】
特許文献１は、筐体の下面にバッテリを着脱可能に収納した電子機器を開示している。
【先行技術文献】
【特許文献】
【０００３】
【特許文献１】ＷＯ２０１６／０５１７１９  Ａ１号公報
【発明の概要】
【発明が解決しようとする課題】
【０００４】
コンピュータ等の電子機器の筐体は薄型化が要求されており、これに伴いバッテリも薄型化が要求されている。
【０００５】
本開示は、薄型化したバッテリを適切に装着可能な電子機器を提供する。
【課題を解決するための手段】
【０００６】
本開示の電子機器は、バッテリと、バッテリが装着される凹部を有する筐体とを有する。
バッテリは、バッテリ側主面と、バッテリ側主面に垂直な一対のバッテリ側側面とを有し、
凹部は、バッテリが装着された状態でバッテリ側主面及び一対のバッテリ側側面それぞれに対向する凹部側主面及び一対の凹部側側面を有し、
各凹部側側面及び各バッテリ側側面に、バッテリが装着された状態で互いに係合する凹部側第１係合部及びバッテリ側第１係合部が設けられ、
凹部側主面及びバッテリ側主面に、バッテリが装着された状態で互いに係合する凹部側第２係合部及びバッテリ側第２係合部が設けられている。
【発明の効果】
【０００７】
本開示によれば、バッテリは、筐体に装着された状態で、一対の凹部側側面によってそれぞれ支持されるだけでなく、凹部側主面によっても支持される。そのため、バッテリが薄型のものであってもたわんでバッテリ側主面と凹部側主面との間隔が広がるようなことが抑制される。つまり、薄型化したバッテリを適切に装着できる。
【図面の簡単な説明】
【０００８】
【図１】実施形態１におけるデタッチャブル型コンピュータの斜視図
【図２Ａ】キーボードユニットを、バッテリを装着した状態で下面側から見た斜視図
【図２Ｂ】キーボードユニットを、バッテリを取り外した状態で下面側から見た斜視図
【図３】キーボードユニットのバッテリ収容部の構造を示した図
【図４】バッテリ収容部の係合突起の拡大図
【図５】バッテリの平面図及び側面図
【図６】バッテリを上面側から見た斜視図
【図７】バッテリの中央溝の前端部の拡大斜視図
【図８】バッテリのバッテリ収容部内での保持構造の説明図
【図９】図８（ａ）のＮ−Ｎ線による拡大断面図
【図１０】バッテリの装着過程の説明図
【図１１】バッテリの装着過程の説明図
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者は、当業者が本開示を十分に理解するために添付図面および以下の説明を提供するのであって、これらによって特許請求の範囲に記載の主題を限定することを意図するものではない。
【００１１】
（実施の形態１）
以下、図面を参照して実施の形態１を説明する。
【００１２】
［１．構成］
［１−１．概要］
図１は、実施の形態１におけるデタッチャブル型コンピュータの斜視図である。デタッチャブル型コンピュータ１００は、電子機器の一例である。デタッチャブル型コンピュータ１００は、タブレット型コンピュータ１と、キーボードユニット２とを備える。タブレット型コンピュータ１とキーボードユニット２とは、図１（ｂ）に示すように、着脱可能である。
【００１３】
タブレット型コンピュータ１の前面には、タッチパネルを有する表示部５が設けられている。また、タブレット型コンピュータ１の内部には、中央演算処理装置（ＣＰＵ）、メモリ、ソリッドステートドライブ（ＳＳＤ）、画像プロセッサ、通信モジュール等、種々の電子部品が収容されている。
【００１４】
キーボードユニット２は、複数のキーを含むキーボード７やタッチパッド６を有する。また、キーボードユニット２は、タブレット型コンピュータ１との間でデータや電源を授受するためのコネクタ８や、外部機器を接続するための外部機器インタフェース９や、タブレット型コンピュータ１をキーボードユニット２から取り外すための操作レバー４等を有する。キーボードユニット２の内部には、キーボードコントローラや、タッチパッドコントローラ等、種々の電子部品が収容されている。
【００１５】
図２Ａは、キーボードユニット２を、バッテリ３０を装着した状態で示した下面側の斜視図である。なお、図２Ａ以後の図面では適宜方向表示を付している。この方向表示は、デタッチャブル型コンピュータ１００を一般的な利用方法で利用した場合における方向を示したものであり、以後において説明の理解の容易のためこの方向表示を用いて説明を行う。なお、本実施形態では、図の左右方向は装置幅方向、前後方向は装置奥行き方向、上下方向は装置厚み方向に対応付けている。
【００１６】
キーボードユニット２の筐体２０の下面２０ａにはバッテリ収容部２１が設けられ、バッテリ収容部２１内にバッテリ３０が収容されている。バッテリ３０の下面３０ｓには操作レバー３５が配置されており、当該操作レバー３５をスライド操作することでバッテリ３０を取り外すことができる。
【００１７】
［１−２．バッテリの収容構造］
図２Ｂは、キーボードユニット２を、バッテリ３０を取り外した状態で示した下面側の斜視図である。図３は、キーボードユニット２のバッテリ収容部２１の構造を示した図である。図３（ａ）は、バッテリ３０を取り外した状態のキーボードユニット２の下面図である。図３（ｂ）は、図３（ａ）のＡ−Ａ線による断面図である。
【００１８】
図２Ｂ、図３に示すように、バッテリ収容部２１は、筐体２０を構成する筐体本体２０Ｓの下面２０ａの一端側を切り欠くことにより、凹部状に形成されている。バッテリ収容部２１の左右の側面２１ａには、ガイド突起２１ｂが形成されている。また、バッテリ収容部２１の天井面２１ｅには、係合突起２２ａが形成されている。係合突起２２ａは、バッテリ収容部２１において、前後方向（装置奥行き方向）の前端側かつ左右方向（装置幅方向）のほぼ中央に設けられている。バッテリ収容部２１の天井面２１ｅは、筐体本体２０Ｓ及び固定プレート２２で構成されている。固定プレート２２は、筐体本体２０Ｓにネジで固定される。
【００１９】
図４は、バッテリ収容部２１の係合突起２２ａの拡大図である。図４及び図３（ｂ）に示すように、係合突起２２ａは、固定プレート２２の下面から下方に延びて前方に折れ曲がる略Ｌ字状の形状を有する。
【００２０】
図５は、バッテリ３０の平面図及び側面図である。図５（ａ）はバッテリ３０の下面図である。図５（ｂ）はバッテリ３０の、右側の側面３０ａを示す。図６は、バッテリ３０を上面側から見た斜視図である。なお、バッテリ３０の左側の側面３０ａは、図５（ｂ）の右側の側面３０ａと左右対称な形状を有しているため、図示は省略する。これらの図に示すように、バッテリ３０は幅方向の長さに対して厚み方向の長さ（厚み）が比較的小さい薄型のバッテリである。バッテリ３０の側面３０ａには、前後方向（装置奥行き方向）に延びるガイド溝３０ｂが形成されている。ガイド溝３０ｂは、バッテリ収容部２１の側面２１ａのガイド突起２１ｂが嵌合可能である。また、バッテリ３０の上面３０ｆには、左右方向（装置幅方向）の中央で前後方向（装置奥行き方向）に延びる中央溝３０ｃが形成されている。中央溝３０ｃには、バッテリ収容部２１の天井面２１ｅの係合突起２２ａが嵌合可能である。中央溝３０ｃは、バッテリ３０の上面３０ｆの前端及び後端にまで至っておらず、両方の端部が閉じている。中央溝３０ｃを上面３０ｆの前端及び後端にまで設けると、バッテリ３０の幅方向中央の厚みがその他の部分よりも薄くなって折れ起点となる虞があるため、バッテリ３０の上面３０ｆの前端及び後端にまでは至らせていない。
【００２１】
図７は、バッテリ３０の中央溝３０ｃの前端部の拡大斜視図である。バッテリ３０の中央溝３０ｃの前端部には、袋状凹部３０ｄが設けられている。
【００２２】
図８は、バッテリ３０のバッテリ収容部２１内での保持構造の説明図である。図８（ａ）はキーボードユニット２の下面図である。図８（ｂ）は図８（ａ）のＣ−Ｃ線による断面を示す。図８（ｃ）は図８（ａ）のＢ−Ｂ線による断面（中央溝３０ｃに沿う断面）を示す。図９は、図８（ａ）のＮ−Ｎ線による拡大断面図である。図８（ｂ）、図９に示すように、バッテリ３０が筐体２０に装着された状態で、筐体２０のガイド突起２１ｂとバッテリ３０のガイド溝３０ｂとが互いに係合する。これにより、筐体２０のバッテリ収容部２１の左右の側面２１ａによってバッテリ３０の幅方向左右の端部が保持される。また、図８（ｃ）、図９に示すように、バッテリ３０が筐体２０に装着された状態で、筐体２０の係合突起２２ａとバッテリ３０の中央溝３０ｃ及び袋状凹部３０ｄとが互いに係合する。これにより、筐体２０のバッテリ収容部２１の天井面２１ｅによって、バッテリ３０の幅方向の中央でバッテリ３０が保持される。したがって、図９に示すように、バッテリ３０は、左右方向（装置幅方向）において左右の端部と中央部の３点で支持される。そのため、左右の端部の２点でのみ支持される場合と比べ、バッテリ３０が下方にたわむのを抑制できる。
【００２３】
図９に示すように、バッテリ３０は、４個のバッテリセル３３を内蔵している。中央溝３０ｃは、左右方向（装置幅方向）で２個目と３個目のバッテリセル３３の間に設けられている。これにより、バッテリ３０の厚みを厚くすることなく、中央溝３０ｃを設けることができる。
【００２４】
図８（ｃ）に示すように、バッテリ３０は、バッテリセル３３（図９は中央溝３０ｃ部分の断面であるため、バッテリセル３３はあらわれていない）を収容する上部ケース３２及び下部ケース３１を有するが、袋状凹部３０ｄは、下部ケース３１を上方に突出させることで形成された突出枠３０ｅにより形成されている（図７参照）。そのため、キーボードユニット２を、キーボード７が上面側に位置する通常の利用方法で利用している際には、係合突起２２ａは下部ケース３１を上方に吊り上げる状態となる。したがって、通常利用時において、筐体２０によりバッテリ３０を適切に保持できる。仮に上部ケース３２に袋状凹部を形成した場合、通常利用時において、上部ケース３２が係合突起により吊り上げられた状態となり、バッテリセル３３の重量等により上部ケース３２と下部ケース３１とが分離する虞があるが、本実施形態の構造では、そのようなことは生じない。
【００２５】
図１０は、バッテリ３０の装着過程の説明図である。図１１は、バッテリ３０の装着過程の説明図である。図１１（ａ）は、バッテリ収容部２１の前端側にバッテリ３０の後端側を嵌めた状態のキーボードユニット２の下面図である。図１１（ｂ）は図１１（ａ）のＥ−Ｅ線による断面を示し、図１１（ｃ）は図１１（ａ）のＤ−Ｄ線による断面を示す。バッテリ３０をバッテリ収容部２１に装着する場合、まず、図１０に矢印Ｘ１で示すように上下方向（装置厚み方向）に移動させることで、バッテリ収容部２１の前端側にバッテリ３０の後端側を嵌める。このとき、図１１（ａ）、（ｂ）に示すように、筐体２０の２つのガイド突起２１ｂのうち筐体２０の前端に近いガイド突起２１ｂがバッテリ３０のガイド溝３０ｂの入口の手前に位置し、かつ図１１（ｃ）に示すように、筐体２０の係合突起２２ａがバッテリ３０の中央溝３０ｃの後端側に嵌まるように、バッテリ３０をバッテリ収容部２１に嵌める。
【００２６】
次に、矢印Ｘ２で示すようにバッテリ３０を後方にスライドさせる。このとき、図１１（ｂ）において前端に近いガイド突起２１ｂがまずバッテリ３０のガイド溝３０ｂに進入し、バッテリ３０をさらに後方にスライドさせると、後端に近いガイド突起２１ｂもバッテリ３０のガイド溝３０ｂに進入する。これにより、前後の両方のガイド突起２１ｂとバッテリ３０のガイド溝３０ｂとが係合することなる。また、図１１（ｃ）においてバッテリ３０を後方にスライドさせると、係合突起２２ａが中央溝３０ｃの前端側に相対的に移動する。そして、バッテリ３０がバッテリ収容部２１内に完全に収容されると、図９（ｃ）に示されるように係合突起２２ａがバッテリ３０の袋状凹部３０ｄに嵌まり、係合突起２２ａと袋状凹部３０ｄとが係合することとなる。これにより、バッテリ３０は、左右方向（装置幅方向）において左右の端部と中央部で支持される。
【００２７】
また、図１１（ａ）に示すように、筐体２０の下面２０ａには、バッテリ収容部２１側に突出する突設部２１ｐが設けられている。突設部２１ｐは、バッテリ３０が装着された状態においてバッテリ３０の下面３０ｓの凹状受け部３０ｐに近接した状態で重なる。  突設部２１ｐは、２つの側面２１ａの間において係合突起２２ａの左右両側にそれぞれ設けられている。このような構成により、バッテリ３０は、筐体２０に装着された状態において、後端側で突設部２１ｐによっても支持される。そのため、バッテリ３０のたわみや、上面３０ｆと天井面２１ｅとの間隔が広がることを抑制できる。また、バッテリ３０を一対の側面２１ａでより一層バランスよく支持できる。なお、一方の凹状受け部３０ｐには、バッテリ３０を筐体２０に対して電気的に接続するバッテリコネクタ３４が設けられており、突設部２１ｐはバッテリ３０が装着された状態でバッテリコネクタ３４を覆う役割も有する。
【００２８】
［２．効果等］
実施形態１のデタッチャブル型コンピュータ１００（電子機器の一例）は、バッテリ３０と、バッテリ３０が装着されるバッテリ収容部２１（凹部）を有する筐体２０とを有する。
バッテリ３０は、上面３０ｆ（バッテリ側主面）と、上面３０ｆ（バッテリ側主面）に垂直な一対の側面３０ａ（バッテリ側側面）とを有し、
バッテリ収容部２１（凹部）は、バッテリ３０が装着された状態で上面３０ｆ（バッテリ側主面）及び一対の側面３０ａ（バッテリ側側面）のそれぞれに対向する天井面２１ｅ（凹部側主面）及び一対の側面２１ａ（凹部側側面）を有する。
各側面２１ａ（凹部側側面）及び各側面３０ａ（バッテリ側側面）に、バッテリ３０が装着された状態で互いに係合するガイド突起２１ｂ（凹部側第１係合部）及びガイド溝３０ｂ（バッテリ側第１係合部）が設けられている。
天井面２１ｅ（凹部側主面）及び上面３０ｆ（バッテリ側主面）に、バッテリ３０が装着された状態で互いに係合する係合突起２２ａ（凹部側第２係合部）及び袋状凹部３０ｄ（バッテリ側第２係合部）が設けられている。
【００２９】
これにより、バッテリ３０は、筐体２０に装着された状態において、一対の側面２１ａ（凹部側側面）によってそれぞれ支持されるだけでなく、天井面２１ｅ（凹部側主面）によっても支持される。そのため、バッテリ３０のたわみや、上面３０ｆ（バッテリ側主面）と天井面２１ｅ（凹部側主面）との間隔が広がることを抑制できる。つまり、薄型化したバッテリ３０を適切に装着できる。
【００３０】
実施形態１のデタッチャブル型コンピュータ１００において、
係合突起２２ａ（凹部側第２係合部）及び袋状凹部３０ｄ（バッテリ側第２係合部）は、２つの側面２１ａ（凹部側側面）間の中央に形成されている。
【００３１】
これにより、バッテリ３０を一対の側面２１ａ（凹部側側面）でバランスよく支持できる。
【００３２】
実施形態１のデタッチャブル型コンピュータ１００において、
バッテリ収容部２１（凹部）は、筐体２０の下面２０ａ（主面）の前端側（一端側）を切り欠いて形成されている。
筐体２０の下面２０ａ（主面）に、バッテリ３０が装着された状態においてバッテリ３０の上面３０ｆ（バッテリ側主面）とは反対側の下面３０ｓ（第２のバッテリ側主面）に重なる突設部２１ｐが設けられている。
【００３３】
これにより、バッテリ３０は、筐体２０に装着された状態において、突設部２１ｐによっても支持される。そのため、バッテリ３０のたわみや、上面３０ｆ（バッテリ側主面）と天井面２１ｅ（凹部側主面）との間隔が広がることを抑制できる。
【００３４】
実施形態１のタブレット型コンピュータ１において、
突設部２１ｐは、２つの側面２１ａ（凹部側側面）の間において係合突起２２ａ（凹部側第２係合部）の両側に設けられている。
【００３５】
これにより、バッテリ３０を一対の側面２１ａ（凹部側側面）によってより一層バランスよく支持できる。
【００３６】
実施形態１のタブレット型コンピュータ１において、
バッテリ３０を、その一部がバッテリ収容部２１（凹部）に収容された状態から天井面２１ｅ（凹部側主面）及び側面２１ａ（凹部側側面）の両方に平行な前後方向（第１方向）にスライドさせることで、ガイド突起２１ｂ（凹部側第１係合部）及びガイド溝３０ｂ（バッテリ側第１係合部）が互いに係合し、かつ係合突起２２ａ（凹部側第２係合部）及び袋状凹部３０ｄ（バッテリ側第２係合部）が互いに係合するように構成されている。
凹部側第１係合部及び凹部側第２係合部は、ガイド突起２１ｂ（第１の突起）及び係合突起２２ａ（第２の突起）で構成されている。
バッテリ側第１係合部は、バッテリ３０が装着された状態で、第１方向に延びかつガイド突起２１ｂ（第１の突起）が嵌まるガイド溝３０ｂ（第１の溝）である。
バッテリ３０の上面３０ｆ（バッテリ側主面）に、バッテリ３０が装着される過程で、前後方向（第１方向）に延びかつ係合突起２２ａ（第２の突起）が嵌まる中央溝３０ｃ（第２の溝）が設けられている。
バッテリ側第２係合部は、中央溝３０ｃ（第２の溝）の延設方向の一方の端部に設けられ、バッテリ３０が装着された状態で係合突起２２ａ（第２の突起）と係合する袋状凹部３０ｄである。
【００３７】
これにより、簡単な構造でバッテリ３０の支持構造を構成できる。
【００３８】
実施形態１のタブレット型コンピュータ１において、
バッテリ３０は複数のバッテリセル３３を内蔵する。
中央溝３０ｃ（第２の溝）は、隣接するバッテリセル３３間に設けられる。
【００３９】
これにより、中央溝３０ｃ（第２の溝）を、バッテリ３０の厚みを厚くすることなく設けることができる。
【００４０】
実施形態１のタブレット型コンピュータ１において、
中央溝３０ｃ（第２の溝）の延設方向の両方の端部が閉じている。
【００４１】
中央溝３０ｃ（第２の溝）がバッテリ３０の上面３０ｆ（バッテリ側主面）を平行な方向の一端から他端まで形成されていると、中央溝３０ｃ（第２の溝）が折れ線として機能しやすくなり、バッテリ３０が単体で取り外された場合の強度に課題が生じる。しかし、本実施形態では、中央溝３０ｃ（第２の溝）の延設方向の両方の端部が閉じていることで、中央溝３０ｃ（第２の溝）が折れ線として機能しにくい。そのため本実施形態ではバッテリ３０の強度を維持しつつ中央溝３０ｃ（第２の溝）を設けることができる。
【００４２】
（他の実施形態）
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。そこで、以下、他の実施の形態を例示する。
【００４３】
（１）前記実施の形態では、凹部側第１係合部及び凹部側第２係合部を突起で構成し、バッテリ側第１係合部及びバッテリ側第２係合部を溝及び袋状凹部で構成した場合を例示した。しかし、本開示において、凹部側第１係合部及び凹部側第２係合部を、溝及び袋状凹部で構成し、バッテリ側第１係合部及びバッテリ側第２係合部を突起で構成してもよい。また、凹部側第１係合部及び凹部側第２係合部の一方を、溝または袋状凹部で構成し、バッテリ側第１係合部及びバッテリ側第２係合部のうち対応する一方を突起で構成してもよい。
【００４４】
（２）前記実施の形態では、バッテリを収容する凹部（バッテリ収容部）は、筐体の主面（下面）を一端側から切り欠くことで形成されている。しかし、本開示において、バッテリを収容する凹部は、筐体の主面（下面）においてその端部を除く所定の領域を切り欠くことで形成されてもよい。この場合、バッテリを収容する凹部は、バッテリをスライドさせることが可能な広さに形成すればよい。
【００４５】
（３）前記実施の形態では、凹部側第２係合部及びバッテリ側第２係合部は、それぞれ１個だけ設けている。しかし、本開示において、凹部側第２係合部及びバッテリ側第２係合部は、装置幅方向において分散させて複数個設けてもよい。
【００４６】
（４）前記実施の形態では、電子機器がデタッチャブル型のコンピュータである場合を例示した。しかし、本開示の電子機器は、デタッチャブル型でない一般的なノートブック型コンピュータにも適用可能である。また、本開示の電子機器は、薄型の筐体を備え、薄型のバッテリを収容するスマートフォン、タブレット型コンピュータその他の電子機器に広く適用できる。
【００４７】
以上のように、本開示における技術の例示として、実施の形態を説明した。そのために、添付図面および詳細な説明を提供した。したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。また、上述の実施の形態は、本開示における技術を例示するためのものであるから、特許請求の範囲またはその均等の範囲において種々の変更、置き換え、付加、省略などを行うことができる。
【産業上の利用可能性】
【００４８】
本開示は、バッテリを有する電子機器において広く利用可能である。
【符号の説明】
【００４９】
１  タブレット型コンピュータ
２  キーボードユニット
４  操作レバー
５  表示部
６  タッチパッド
７  キーボード
８  コネクタ
９  外部機器インタフェース
２０  筐体
２０ａ  下面
２０Ｓ  筐体本体
２１  バッテリ収容部
２１ａ  側面
２１ｂ  ガイド突起
２１ｅ  天井面
２１ｐ  突設部
２２  固定プレート
２２ａ  係合突起
３０  バッテリ
３０ａ  側面
３０ｂ  ガイド溝
３０ｃ  中央溝
３０ｄ  袋状凹部
３０ｅ  突出枠
３０ｆ  上面
３０ｐ  凹状受け部
３０ｓ  下面
３１  下部ケース
３２  上部ケース
３３  バッテリセル
３４  バッテリコネクタ
３５  操作レバー
１００  デタッチャブル型コンピュータ
【図１】
2018110049.tif 000003
【図２Ａ】
2018110049.tif 000004
【図２Ｂ】
2018110049.tif 000005
【図３】
2018110049.tif 000006
【図４】
2018110049.tif 000007
【図５】
2018110049.tif 000008
【図６】
2018110049.tif 000009
【図７】
2018110049.tif 000010
【図８】
2018110049.tif 000011
【図９】
2018110049.tif 000012
【図１０】
2018110049.tif 000013
【図１１】
2018110049.tif 000014